(57)【要約】【課題】  肩に掛けて持ち運ぶ場合に、バッグ本体の揺れを容易に防止して、携帯性を向上することができるバッグを提供する。【解決手段】  バッグ本体のマチ部の外側に、手により把持可能なベルト状部材が、バッグ本体の厚さ方向に沿って設けられている。上記ベルト状部材は、上記マチ部の下端部においてバッグ本体の厚さ方向全域に亘って設けられている。携帯する際、上記ベルト状部材を手で把持することにより、歩行時にバッグ本体を揺れないように固定することができる。これにより、携帯時にショルダーベルトが肩から外れにくくなる。また、歩行しにくくなるという不具合が解消される。【選択図】  図１
0003131244.tif 000002
【実用新案登録請求の範囲】
【請求項１】
バッグ本体のマチ部の外側に、手により把持可能なベルト状部材が、バッグ本体の厚さ方向に沿って設けられていることを特徴とするバッグ。
【請求項２】
上記ベルト状部材は、上記マチ部の下端部において上記マチの幅方向の全域に亘って設けられていることを特徴とする請求項１記載のバッグ。
【請求項３】
上記バッグ本体内部には、上下方向に複数段の収納ポケットを有するパネルが備えられていることを特徴とする請求項１又は２のいずれか１項記載のバッグ。
【考案の詳細な説明】
【技術分野】
【０００１】
本考案はバッグに係り、特に、肩に掛けて携帯する場合に、バッグ本体の揺れを防止できるバッグに関する
【背景技術】
【０００２】
一般に広く使用されているビジネスバッグやトートバッグは、バッグ本体部の上端部にハンドル部が取り付けられると共にショルダーベルトが取り付けられ、手提げ状態で持ち運ぶこともできれば、肩に掛けて持ち運ぶこともできるように構成されている商品が多い。
【０００３】
このようなビジネスバッグやトートバッグを肩に掛けて持ち運ぶ場合、歩行時や走った際の振動によりバッグ本体が前後及び左右方向に揺れやすく、その揺れのために歩きにくくなったり、場合によっては、ショルダーベルトが肩からずり落ちてしまう場合がある、という不具合がある。
【考案の開示】
【考案が解決しようとする課題】
【０００４】
そこで、本考案の課題は、肩に掛けて持ち運ぶ場合に、バッグ本体の揺れを容易に防止して、携帯性を向上することができるバッグを提供することにある。
【課題を解決するための手段】
【０００５】
上記課題を解決するために、請求項１記載の考案に係るバッグは、バッグ本体のマチ部の外側に、手により把持可能なベルト状部材が、バッグ本体のマチの厚さ方向に沿って設けられていることを特徴とする。
【０００６】
すなわち、本考案に係る上記バッグにあっては、肩に掛けて持ち運ぶ場合に、バッグ本体のマチ部の外側に設けられた上記ベルト状部材を手で把持することができる。したがって、バッグ本体を手で固定することができるので、歩行時のバッグ本体の揺れを防止することができる。
【０００７】
また、本考案に係る上記バッグは、上記ベルト状部材が、上記マチ部の下端部においてバッグ本体のマチの幅方向全域に亘って設けられていることを特徴とする。
【０００８】
すなわち、本考案に係る上記バッグにあっては、上記ベルト状部材は、上記マチ部の下端部という、手で把持しやすい位置に配置されている。したがって、無理なく、手で上記ベルト状部材を容易に把持することができる。
また、上記マチ部はバッグ本体のマチの幅方向全域に亘って設けられていることから、上記ベルト状部材は十分な幅を有し、手で把持する場合に狭小ではなく、十分な余裕を持って手で把持することができる。
【０００９】
また、本考案に係る上記バッグは、上記バッグ本体内部に、上下方向に複数段の収納ポケットを有する間仕切りが備えられていることを特徴とする。
【００１０】
すなわち、本考案に係る上記バッグにあっては、上下方向に複数段の収納ポケットを有するパネルが備えられていることを特徴とする。したがって、多種類の小物を上記各収納ポケットに整理して収納することができる。
【考案の効果】
【００１１】
請求項１記載の本考案に係るバッグは、肩に掛けて持ち運ぶ場合に、手により上記ベルト状部材を把持することができるので、バッグ本体が身体に固定されて安定し、揺動が防止され、携帯性が向上して使い勝手が良好になる。
また、搬送中において、上記ベルト状部材を把持することにより手で固定してバッグ本体を身体側方に密着させうるため、長時間歩行した場合や、走行した場合であっても、肩等の上半身の疲労感を軽減することができる。
【００１２】
請求項２記載の考案に係るバッグにあっては、上記ベルト状部材がバッグ本体の下端部においてマチの幅方向全域に亘って設けられていることから、バッグを肩に掛けて保持する場合に手で把持しやすく、良好な状態で携帯することができる。
【００１３】
請求項３記載の考案に係るバッグにあっては、上下方向に複数段の収納ポケットを有するパネルが設けられていることから、上下方向に複数の収納部が形成され、上下２段の収納部に小物等を収納することができるため、バッグ内において多くの小物を効率よく分けて収納することができ、多種類の小物を手際よく収納したい、というユーザーの要請に応えることができる。
【考案を実施するための最良の形態】
【００１４】
以下、図面を用いて本考案の実施の形態について説明する。
本実施の形態に係るバッグ１１ａ，１１ｂは、図１及び図５に示すように、バッグ本体１３，４２のマチ部１７，４６の外側に、手により把持可能なベルト状部材２４，５４が、バッグ本体１３，４２の厚さ方向に沿って設けられている。
また、図１に示すように、上記ベルト状部材２４は、上記マチ部１７の下端部においてバッグ本体１３の上記マチ部１７の幅方向全域に亘って設けられている。
また、図６に示すように、上記ベルト状部材５４は、上記マチ部４６の下端部においてバッグ本体４２の上記マチ部４６の幅方向全域に亘って設けられている。
また、図５〜図９に示した実施形態では、上記バッグ本体４２内部には、上下方向に複数段の収納ポケット６７，６８，６９，７０，７１，７２，７３，７４，７５，７６を有するパネル８９が備えられている。
【実施例１】
【００１５】
図１〜図４は実施例１に係るバッグ１１ａを示したものである。
上記バッグ１１ａは、図１に示すように、トートバッグ１２として形成されている。
図１に示すように、上記トートバッグ１２は、表面に高度の撥水加工を施すと共に裏面には同様に撥水のためのポリウレタンコーティング処理を施した高密度ナイロン製のアウターファブリックと、このアウターファブリックの内方に配置された、ＥＶＡ／ＰＥもしくはＰＵフォームからなるインナーマテリアル及び、高密度ナイロンタフタからなるライニングファブリックにより構成された３層積層構造からなる表皮材を備えたバッグ本体１３を有し、上記バッグ本体１３は前胴部１４、後胴部１５、左右のマチ部１６，１７及び底部１８により構成されている。
【００１６】
図１に示すように、上記バッグ本体１３の上記前胴部１４と後胴部１５における幅方向中央部の上端部には夫々、長めに形成された持ち手１９，２０が取り付けられている。
図１に示すように、上記持ち手１９，２０は上記前胴部１４と後胴部１５に対し、下端部をダイヤモンド形のステッチ２１ａ，２１ｂにより強固に前胴部１４及び後胴部１５に縫合固定されている。また、上記ステッチ２１ａ，２１ｂは、上記持ち手１９，２０の接合部のデザイン的なアクセントを付与することができる。
【００１７】
図１に示すように、上記持ち手１９，２０は、持ち運ぶ場合に、手のひらで把持して提げうるように形成されているが、肩に掛けて持ち運ぶこともできるように、長めに形成され、ショルダーベルト２２，２３としても兼用して使用される。
【００１８】
図１に示すように、上記バッグ本体１３における一方の上記マチ部１７の外側には、手で把持可能なベルト状部材２４が取り付けられている。上記ベルト状部材２４は上記マチ部１７の下端部に配置され、上記バッグ本体１３の厚さ方向全域に亘って設けられている。
【００１９】
また、図１に示すように、上記マチ部１７において上記ベルト状部材２４の上方で、高さ方向の中間位置に開口部を有するポケット２５が形成されている。
【００２０】
図１及び図２に示すように、上記バッグ本体１３における上記前胴部１４及び後胴部１５の下端部と、上記底部１８の端部はダブルステッチ２６により縫合されて接合されている。
従って、上記前胴部１４及び後胴部１５は上記底部１８に対して強固に接合され、永年使用された場合にあっても耐久性に富んでいる。なお、上記底部１８の内部には衝撃吸収パッド（図示せず）が装備されると共に、図２に示すように、上記底部１８の四隅と中央の計５箇所には鋲２７ａ，２７ｂ，２７ｃが突設されている。
【００２１】
図１に示すように、上記バッグ本体１３の上記前胴部１４には、幅方向の中央部に、上下方向に沿って開口可能な隠しポケット２８が設けられている。
上記隠しポケット２８の開口部にはスライドファスナー（図示せず）が取り付けられているが、上記スライドファスナー本体及びファスナーの取っ手は上記隠しポケット２８の開口縁部の裏側に隠蔽されている。
【００２２】
図３に示すように、上記バッグ本体１３の内部には主収納部２９と、副収納部３０とが形成されている。上記副収納部３０は、上記前胴部１４の内方側に形成されている。
上記主収納部２９と上記副収納部３０は、上方が蓋部３１により被覆され、スライドファスナー３２，３３により開閉可能に形成されている。
【００２３】
上記主収納部２９はB５サイズのラップトップパソコンを収納しうる大きさに形成され、その内部には収納したパソコンを保護しうる衝撃吸収パッド（図示せず）が備えられている。したがって、上記主収納部２９に保持されたパソコンは衝撃から保護され、破損が防止される。なお、上記主収納部２９には、パソコンのみならず、種々の物品を収納することができる。
【００２４】
図３に示すように、上記副収納部３０は上記主収納部２９を開くことなく単独で開口することができる。上記副収納部３０の内部には、図４に示すような内装部材４０が装備されている。上記内装部材４０はパネル状に形成され、筆記具やデジタルカメラ等の各種小物を収納しうる複数のポケット３４，３５，３６，３７，３８，３９が設けられている。
【００２５】
以下に、上記実施例１のトートバッグ１２の作用について説明する。
上記トートバッグ１２を持ち運ぶ場合、通常は、上記持ち手１９，２０を手で把持して提げて携帯するか、又は、上記持ち手１９，２０をショルダーベルト２２，２３として使用し、肩に掛けて持ち運ぶ場合もある。
このようにトートバッグ１２を肩に掛けて持ち運ぶ場合、一般には、歩行時や走った際の振動により上記バッグ本体１３は前後及び左右方向に揺れるため、肩から上記ショルダーベルト２２，２３が外れてしまう、という不具合や、上記バッグ本体１３の揺れのため、歩行しにくい、という不具合が発生しやすい。
上記不具合を解消するために、本実施の形態に係るトートバッグ１２では、上記バッグ本体１３の上記マチ部１７に上記ベルト状部材２４が設けられている。
【００２６】
すなわち、上記ショルダーベルト２２，２３を、例えば、右肩に掛けて上記トートバッグ１２を持ち運ぶ場合に、右手で上記ベルト状部材２４を手で把持して、バッグ本体１３を身体に密着させた状態で固定することができる。これにより、上記バッグ本体１３は歩行時の振動に拘らず、揺れが防止される。
したがって、上記トートバッグ１２を肩に掛けて持ち運ぶ場合に、上記ショルダーベルト２２，２３が肩から外れにくくなる。また、上記バッグ本体１３が揺れないので、歩行や走行を行いやすくなる。
【００２７】
また、上記ベルト状部材２４は、上記マチ部１７の下端部という手で把持しやすい位置に配置されていることから、無理なく手で把持することができる。
また、上記ベルト状部材２４は、上記バッグ本体１３のマチの幅方向全域に亘って設けられていることから、手で把持する場合に幅が狭小ではなく、余裕を持って手で把持することができる。その結果、使い勝手が良好である。
【実施例２】
【００２８】
図５〜図９は実施例２に係るバッグ１１ｂを示したものである。
上記バッグ１１ｂは、図５に示すように、ビジネスバッグ４１として形成されている。
上記ビジネスバッグ４１は、図５に示すように、上記第１実施例に係るトートバッグ１２の場合と同様に、表面に高度の撥水加工を施すと共に裏面には同様に撥水のためのポリウレタンコーティング処理を施した高密度ナイロン製のアウターファブリックと、このアウターファブリックの内方に配置された、ＥＶＡ／ＰＥもしくはＰＵフォームからなるインナーマテリアル及び、高密度ナイロンタフタからなるライニングファブリックにより構成された３層積層構造からなる表皮材を備えたバッグ本体４２を有し、上記バッグ本体４２は前胴部４３、後胴部４４、左右のマチ部４５，４６、上面部４７及び底部４８により構成されている。
【００２９】
図５に示すように、上記バッグ本体４２の上記上面部４７における厚さ方向の両端部中央には、夫々持ち手４９，５０が取り付けられている。
また、上記左右のマチ部４５，４６の上端部には、連結リング５１，５２が取り付けられ、上記連結リング５１，５２には、図７に示すように、ショルダーベルト５３の両端部が着脱可能に接続されるように構成され、上記持ち手４９，５０は、手に提げて持ち運ぶ場合に使用され、上記ショルダーベルト５３は、肩に掛けて持ち運ぶ場合に使用される。
【００３０】
図６に示すように、上記バッグ本体４２における一方の上記マチ部４６の外側には、手で把持可能なベルト状部材５４が取り付けられている。上記ベルト状部材５４は上記マチ部４６の下端部に配置され、上記バッグ本体４２のマチの幅方向全域に亘って設けられている。
【００３１】
図５に示すように、上記バッグ本体４２における上記前胴部４３、後胴部４４及び左右のマチ部４５，４６の下端部と、上記底部４８の周端部はダブルステッチ５５により縫合されて接合されている。
【００３２】
したがって、上記底部４８の接合部は補強され、安易な破損が防止されている。なお、上記底部４８の内部には衝撃吸収パッド（図示せず）が装備されると共に、上記底部４８の四隅の計５箇所には鋲５６ａ，５６ｂ，５６ｃ，５６ｄ，５６ｅが突設されている。
【００３３】
図７に示すように、上記バッグ本体４２の内部には、厚さ方向の中央部に間仕切り５７で分割されたダブルの主収納部５８，５９が設けられると共に、上記主収納部５８，５９の両側外方に夫々副収納部６１，６０が設けられている。
上記主収納部５８，５９はスライドファスナー６２ａ，６２ｂにより開閉可能に形成され、上記副収納部６１，６０も夫々スライドファスナー６３，６４により開閉可能に形成されている。
【００３４】
なお、図７に示すように、上記間仕切り５７にはスライドファスナー６５により開閉可能なポケット６６が内部に設けられている。
【００３５】
上記主収納部５８はＡ４サイズのラップトップパソコンを収納しうる大きさに形成され、その内部には収納したパソコンを保護しうる衝撃吸収パッド９０が備えられている。したがって、上記主収納部５８に保持されたパソコンは衝撃から保護され、破損が防止される。
なお、上記主収納部５８に収納される物品は、もちろんパソコンに限定されず、種々の物品を対象としている。
【００３６】
上記副収納部６０，６１は夫々上記主収納部５８，５９を開くことなく単独で開口することができる。上記副収納部６０，６１の内部には、夫々、図８及び図９に示すような内装部材６７，６８が装備されている。
図８に示すように、一方の上記内装部材６７には、上段に開口する幅広で大型の深いポケット６９が設けられると共に、中段に開口する6つのポケット７０，７１ａ，７１ｂ，７１ｃ，７２，７３が設けられ、さらに下段に開口する浅いポケット７４，７５，７６が設けられている。上記内装部材６７は間仕切り８９に固定されている。
なお、上段の上記ポケット６９と、中段の端部に設けられたポケット７０には夫々面ファスナー７７ａ，７７ｂ，７８で閉蓋状態を固定しうる蓋片７９，８０が付設されている。
また、図９に示すように、他方の内装部材６８には、３箇所にポケット８１，８２，８３が設けられ、各ポケット８１，８２，８３には夫々面ファスナー８４ａ，８４ｂ，８５ａ，８５ｂ，８５ｃで閉蓋状態を固定しうる蓋片８６，８７，８８が付設されている。
なお、上記バッグ本体４２の内部には、図示はしないが、ワンタッチで簡単に脱着できるキーホルダーが備えられている。
【００３７】
以下に、上記実施例２のビジネスバッグ４１の作用について説明する。
上記ビジネスバッグ４１を持ち運ぶ場合、通常は、上記持ち手４９，５０を手で把持して提げて携帯する場合もあるが、上記持ち手４９，５０を使用しないで、上記ショルダーベルト５３を使用して、肩に掛けて持ち運ぶ場合も多い。
その場合、上述のように、一般には、歩行時又は走る場合の振動により上記バッグ本体は前後及び左右方向に揺れるため、肩から上記ショルダーベルトが外れやすい、という不具合がある。また、上記バッグ本体の揺れのため、歩行しにくい、という不具合もある。
上記不具合を解消するために、本実施の形態に係る上記ビジネスバッグ４１では、上記バッグ本体４２の上記マチ部４６に上記ベルト状部材５４が設けられている。
【００３８】
すなわち、例えば、右肩に掛けて上記ビジネスバッグ４１を持ち運ぶ場合に、上記ベルト状部材５４が設けられた端部を前方側になるようにし、上記ベルト状部材５４を右手で把持することにより、バッグ本体４２を身体に密着させた状態で固定することができる。
これにより、上記バッグ本体４２は歩行時又は走った場合の振動に拘らず、揺れが防止される。したがって、上記ビジネスバッグ４１を肩に掛けて持ち運ぶ場合に、上記ショルダーベルト５３が肩から外れにくくなる。また、上記バッグ本体４２が揺れないので、歩行しやすくなり、長時間の歩行を行った場合であっても疲労感を覚えることが少ない。
【００３９】
また、上記ベルト状部材５４は、上記マチ部４６の下端部という手で把持しやすい位置に配置されていることから、無理なく手で把持することができる。
また、上記ベルト状部材５４は、上記バッグ本体４２のマチの幅方向全域に亘って設けられていることから、手で把持する場合に幅が狭小であることはなく、余裕を持って手で把持することができる。その結果、使い勝手が良好である。
【産業上の利用可能性】
【００４０】
本考案は、肩に掛けて持ち運ぶことのあるバッグに適用可能である。
【図面の簡単な説明】
【００４１】
【図１】本考案の実施例１に係るトートバッグの斜視図である。
【図２】本考案の実施例１に係るトートバッグの正面図である。
【図３】本考案の実施例１に係るトートバッグの平面図である。
【図４】本考案の実施例１に係るトートバッグに備えられる内装部材の側面図である。
【図５】本考案の実施例２に係るビジネスバッグの斜視図である。
【図６】本考案の実施例２に係るビジネスバッグの側面図である。
【図７】本考案の実施例２に係るビジネスバッグの収納部を開いた状態の斜視図である。
【図８】本考案の実施例２に係るビジネスバッグに備えられる内装部材の側面図である。
【図９】本考案の実施例２に係るビジネスバッグに備えられる内装部材の側面図である。
【符号の説明】
【００４２】
１１ａ，１１ｂ  バッグ
１２  トートバッグ
１３  バッグ本体
１４  前胴部
１５  後胴部
１６  マチ部
１７  マチ部
１８  底部
１９  持ち手
２０  持ち手
２１ａ，２１ｂ  ステッチ
２２  ショルダーベルト
２３  ショルダーベルト
２４  ベルト状部材
２５  ポケット
２６  ステッチ
２７ａ，２７ｂ，２７ｃ  鋲
２８  隠しポケット
２９  主収納部
３０  副収納部
３１  蓋部
３２  スライドファスナー
３３  スライドファスナー
３４  ポケット
３５  ポケット
３６  ポケット
３７  ポケット
３８  ポケット
３９  ポケット
４０  内装部材
４１  ビジネスバッグ
４２  バッグ本体
４３  前胴部
４４  後胴部
４５  マチ部
４６  マチ部
４７  上面部
４８  底部
４９  持ち手
５０  持ち手
５１  連結リング
５２  連結リング
５３  ショルダーベルト
５４  ベルト状部材
５５  ダブルステッチ
５６ａ，５６ｂ，５６ｃ，５６ｄ  鋲
５７  間仕切り
５８  主収納部
５９  主収納部
６０  副収納部
６１  副収納部
６２ａ，６２ｂ  スライドファスナー
６３  スライドファスナー
６４  スライドファスナー
６５  スライドファスナー
６６  ポケット
６７  内装部材
６８  内装部材
６９  ポケット
７０  ポケット
７１ａ，７１ｂ，７１ｃ  ポケット
７２  ポケット
７３  ポケット
７４  ポケット
７５  ポケット
７６  ポケット
７７ａ，７７ｂ  面ファスナー
７８  面ファスナー
７９  蓋片
８０  蓋片
８１  ポケット
８２  ポケット
８３  ポケット
８４ａ，８４ｂ  面ファスナー
８５ａ，８５ｂ，８５ｃ  面ファスナー
８６  蓋片
８７  蓋片
８８  蓋片
８９  パネル
９０  衝撃吸収パッド
【図１】
0003131244.tif 000003
【図２】
0003131244.tif 000004
【図３】
0003131244.tif 000005
【図４】
0003131244.tif 000006
【図５】
0003131244.tif 000007
【図６】
0003131244.tif 000008
【図７】
0003131244.tif 000009
【図８】
0003131244.tif 000010
【図９】
0003131244.tif 000011
【手続補正書】
【提出日】平成19年2月19日(2007.2.19)
【手続補正１】
【補正対象書類名】明細書
【補正対象項目名】全文
【補正方法】変更
【補正の内容】
【考案の詳細な説明】
【技術分野】
【０００１】
本考案はバッグに係り、特に、肩に掛けて携帯する場合に、バッグ本体の揺れを防止できるバッグに関する
【背景技術】
【０００２】
一般に広く使用されているビジネスバッグやトートバッグは、バッグ本体部の上端部にハンドル部が取り付けられると共にショルダーベルトが取り付けられ、手提げ状態で持ち運ぶこともできれば、肩に掛けて持ち運ぶこともできるように構成されている商品が多い。
【０００３】
このようなビジネスバッグやトートバッグを肩に掛けて持ち運ぶ場合、歩行時や走った際の振動によりバッグ本体が前後及び左右方向に揺れやすく、その揺れのために歩きにくくなったり、場合によっては、ショルダーベルトが肩からずり落ちてしまう場合がある、という不具合がある。
【考案の開示】
【考案が解決しようとする課題】
【０００４】
そこで、本考案の課題は、肩に掛けて持ち運ぶ場合に、バッグ本体の揺れを容易に防止して、携帯性を向上することができるバッグを提供することにある。
【課題を解決するための手段】
【０００５】
上記課題を解決するために、請求項１記載の考案に係るバッグは、バッグ本体のマチ部の外側に、手により把持可能なベルト状部材が、バッグ本体のマチの厚さ方向に沿って設けられていることを特徴とする。
【０００６】
すなわち、本考案に係る上記バッグにあっては、肩に掛けて持ち運ぶ場合に、バッグ本体のマチ部の外側に設けられた上記ベルト状部材を手で把持することができる。したがって、バッグ本体を手で固定することができるので、歩行時のバッグ本体の揺れを防止することができる。
【０００７】
また、本考案に係る上記バッグは、上記ベルト状部材が、上記マチ部の下端部においてバッグ本体のマチの幅方向全域に亘って設けられていることを特徴とする。
【０００８】
すなわち、本考案に係る上記バッグにあっては、上記ベルト状部材は、上記マチ部の下端部という、手で把持しやすい位置に配置されている。したがって、無理なく、手で上記ベルト状部材を容易に把持することができる。
また、上記マチ部はバッグ本体のマチの幅方向全域に亘って設けられていることから、上記ベルト状部材は十分な幅を有し、手で把持する場合に狭小ではなく、十分な余裕を持って手で把持することができる。
【０００９】
また、本考案に係る上記バッグは、上記バッグ本体内部に、上下方向に複数段の収納ポケットを有する間仕切りが備えられていることを特徴とする。
【００１０】
すなわち、本考案に係る上記バッグにあっては、上下方向に複数段の収納ポケットを有するパネルが備えられていることを特徴とする。したがって、多種類の小物を上記各収納ポケットに整理して収納することができる。
【考案の効果】
【００１１】
請求項１記載の本考案に係るバッグは、肩に掛けて持ち運ぶ場合に、手により上記ベルト状部材を把持することができるので、バッグ本体が身体に固定されて安定し、揺動が防止され、携帯性が向上して使い勝手が良好になる。
また、搬送中において、上記ベルト状部材を把持することにより手で固定してバッグ本体を身体側方に密着させうるため、長時間歩行した場合や、走行した場合であっても、肩等の上半身の疲労感を軽減することができる。
【００１２】
請求項２記載の考案に係るバッグにあっては、上記ベルト状部材がバッグ本体の下端部においてマチの幅方向全域に亘って設けられていることから、バッグを肩に掛けて保持する場合に手で把持しやすく、良好な状態で携帯することができる。
【００１３】
請求項３記載の考案に係るバッグにあっては、上下方向に複数段の収納ポケットを有するパネルが設けられていることから、上下方向に複数の収納部が形成され、上下２段の収納部に小物等を収納することができるため、バッグ内において多くの小物を効率よく分けて収納することができ、多種類の小物を手際よく収納したい、というユーザーの要請に応えることができる。
【考案を実施するための最良の形態】
【００１４】
以下、図面を用いて本考案の実施の形態について説明する。
本実施の形態に係るバッグ１１ａ，１１ｂは、図１及び図５に示すように、バッグ本体１３，４２のマチ部１７，４６の外側に、手により把持可能なベルト状部材２４，５４が、バッグ本体１３，４２の厚さ方向に沿って設けられている。
また、図１に示すように、上記ベルト状部材２４は、上記マチ部１７の下端部においてバッグ本体１３の上記マチ部１７の幅方向全域に亘って設けられている。
また、図６に示すように、上記ベルト状部材５４は、上記マチ部４６の下端部においてバッグ本体４２の上記マチ部４６の幅方向全域に亘って設けられている。
また、図５〜図９に示した実施形態では、上記バッグ本体４２内部には、上下方向に複数段の収納ポケット６７，６８，６９，７０，７１，７２，７３，７４，７５，７６を有するパネル８９が備えられている。
【実施例１】
【００１５】
図１〜図４は実施例１に係るバッグ１１ａを示したものである。
上記バッグ１１ａは、図１に示すように、トートバッグ１２として形成されている。
図１に示すように、上記トートバッグ１２は、表面に高度の撥水加工を施すと共に裏面には同様に撥水のためのポリウレタンコーティング処理を施した高密度ナイロン製のアウターファブリックと、このアウターファブリックの内方に配置された、ＥＶＡ／ＰＥもしくはＰＵフォームからなるインナーマテリアル及び、高密度ナイロンタフタからなるライニングファブリックにより構成された３層積層構造からなる表皮材を備えたバッグ本体１３を有し、上記バッグ本体１３は前胴部１４、後胴部１５、左右のマチ部１６，１７及び底部１８により構成されている。
【００１６】
図１に示すように、上記バッグ本体１３の上記前胴部１４と後胴部１５における幅方向中央部の上端部には夫々、長めに形成された持ち手１９，２０が取り付けられている。
図１に示すように、上記持ち手１９，２０は上記前胴部１４と後胴部１５に対し、下端部をダイヤモンド形のステッチ２１ａ，２１ｂにより強固に前胴部１４及び後胴部１５に縫合固定されている。また、上記ステッチ２１ａ，２１ｂは、上記持ち手１９，２０の接合部のデザイン的なアクセントを付与することができる。
【００１７】
図１に示すように、上記持ち手１９，２０は、持ち運ぶ場合に、手のひらで把持して提げうるように形成されているが、肩に掛けて持ち運ぶこともできるように、長めに形成され、ショルダーベルト２２，２３としても兼用して使用される。
【００１８】
図１に示すように、上記バッグ本体１３における一方の上記マチ部１７の外側には、手で把持可能なベルト状部材２４が取り付けられている。上記ベルト状部材２４は上記マチ部１７の下端部に配置され、上記バッグ本体１３の厚さ方向全域に亘って設けられている。
【００１９】
また、図１に示すように、上記マチ部１７において上記ベルト状部材２４の上方で、高さ方向の中間位置に開口部を有するポケット２５が形成されている。
【００２０】
図１及び図２に示すように、上記バッグ本体１３における上記前胴部１４及び後胴部１５の下端部と、上記底部１８の端部はダブルステッチ２６により縫合されて接合されている。
従って、上記前胴部１４及び後胴部１５は上記底部１８に対して強固に接合され、永年使用された場合にあっても耐久性に富んでいる。なお、上記底部１８の内部には衝撃吸収パッド（図示せず）が装備されると共に、図２に示すように、上記底部１８の四隅と中央の計５箇所には鋲２７ａ，２７ｂ，２７ｃ，２７ｄ，２７ｅ（２７ｄ，２７ｅは図示せず）が突設されている。
【００２１】
図１に示すように、上記バッグ本体１３の上記前胴部１４には、幅方向の中央部に、上下方向に沿って開口可能な隠しポケット２８が設けられている。
上記隠しポケット２８の開口部にはスライドファスナー（図示せず）が取り付けられているが、上記スライドファスナー本体及びファスナーの取っ手は上記隠しポケット２８の開口縁部の裏側に隠蔽されている。
【００２２】
図３に示すように、上記バッグ本体１３の内部には主収納部２９と、副収納部３０とが形成されている。上記副収納部３０は、上記前胴部１４の内方側に形成されている。
上記主収納部２９と上記副収納部３０は、上方が蓋部３１により被覆され、スライドファスナー３２，３３により開閉可能に形成されている。
【００２３】
上記主収納部２９はB５サイズのラップトップパソコンを収納しうる大きさに形成され、その内部には収納したパソコンを保護しうる衝撃吸収パッド（図示せず）が備えられている。したがって、上記主収納部２９に保持されたパソコンは衝撃から保護され、破損が防止される。なお、上記主収納部２９には、パソコンのみならず、種々の物品を収納することができる。
【００２４】
図３に示すように、上記副収納部３０は上記主収納部２９を開くことなく単独で開口することができる。上記副収納部３０の内部には、図４に示すような内装部材４０が装備されている。上記内装部材４０はパネル状に形成され、筆記具やデジタルカメラ等の各種小物を収納しうる複数のポケット３４，３５，３６，３７，３８，３９が設けられている。
【００２５】
以下に、上記実施例１のトートバッグ１２の作用について説明する。
上記トートバッグ１２を持ち運ぶ場合、通常は、上記持ち手１９，２０を手で把持して提げて携帯するか、又は、上記持ち手１９，２０をショルダーベルト２２，２３として使用し、肩に掛けて持ち運ぶ場合もある。
このようにトートバッグ１２を肩に掛けて持ち運ぶ場合、一般には、歩行時や走った際の振動により上記バッグ本体１３は前後及び左右方向に揺れるため、肩から上記ショルダーベルト２２，２３が外れてしまう、という不具合や、上記バッグ本体１３の揺れのため、歩行しにくい、という不具合が発生しやすい。
上記不具合を解消するために、本実施の形態に係るトートバッグ１２では、上記バッグ本体１３の上記マチ部１７に上記ベルト状部材２４が設けられている。
【００２６】
すなわち、上記ショルダーベルト２２，２３を、例えば、右肩に掛けて上記トートバッグ１２を持ち運ぶ場合に、右手で上記ベルト状部材２４を手で把持して、バッグ本体１３を身体に密着させた状態で固定することができる。これにより、上記バッグ本体１３は歩行時の振動に拘らず、揺れが防止される。
したがって、上記トートバッグ１２を肩に掛けて持ち運ぶ場合に、上記ショルダーベルト２２，２３が肩から外れにくくなる。また、上記バッグ本体１３が揺れないので、歩行や走行を行いやすくなる。
【００２７】
また、上記ベルト状部材２４は、上記マチ部１７の下端部という手で把持しやすい位置に配置されていることから、無理なく手で把持することができる。
また、上記ベルト状部材２４は、上記バッグ本体１３のマチの幅方向全域に亘って設けられていることから、手で把持する場合に幅が狭小ではなく、余裕を持って手で把持することができる。その結果、使い勝手が良好である。
【実施例２】
【００２８】
図５〜図９は実施例２に係るバッグ１１ｂを示したものである。
上記バッグ１１ｂは、図５に示すように、ビジネスバッグ４１として形成されている。
上記ビジネスバッグ４１は、図５に示すように、上記第１実施例に係るトートバッグ１２の場合と同様に、表面に高度の撥水加工を施すと共に裏面には同様に撥水のためのポリウレタンコーティング処理を施した高密度ナイロン製のアウターファブリックと、このアウターファブリックの内方に配置された、ＥＶＡ／ＰＥもしくはＰＵフォームからなるインナーマテリアル及び、高密度ナイロンタフタからなるライニングファブリックにより構成された３層積層構造からなる表皮材を備えたバッグ本体４２を有し、上記バッグ本体４２は前胴部４３、後胴部４４、左右のマチ部４５，４６、上面部４７及び底部４８により構成されている。
【００２９】
図５に示すように、上記バッグ本体４２の上記上面部４７における厚さ方向の両端部中央には、夫々持ち手４９，５０が取り付けられている。
また、上記左右のマチ部４５，４６の上端部には、連結リング５１，５２が取り付けられ、上記連結リング５１，５２には、図７に示すように、ショルダーベルト５３の両端部が着脱可能に接続されるように構成され、上記持ち手４９，５０は、手に提げて持ち運ぶ場合に使用され、上記ショルダーベルト５３は、肩に掛けて持ち運ぶ場合に使用される。
【００３０】
図６に示すように、上記バッグ本体４２における一方の上記マチ部４６の外側には、手で把持可能なベルト状部材５４が取り付けられている。上記ベルト状部材５４は上記マチ部４６の下端部に配置され、上記バッグ本体４２のマチの幅方向全域に亘って設けられている。
【００３１】
図５に示すように、上記バッグ本体４２における上記前胴部４３、後胴部４４及び左右のマチ部４５，４６の下端部と、上記底部４８の周端部はダブルステッチ５５により縫合されて接合されている。
【００３２】
したがって、上記底部４８の接合部は補強され、安易な破損が防止されている。なお、上記底部４８の内部には衝撃吸収パッド（図示せず）が装備されると共に、上記底部４８の四隅及び中央の計５箇所には鋲５６ａ，５６ｂ，５６ｃ，５６ｄ，５６ｅが突設されている。
【００３３】
図７に示すように、上記バッグ本体４２の内部には、厚さ方向の中央部に間仕切り５７で分割されたダブルの主収納部５８，５９が設けられると共に、上記主収納部５８，５９の両側外方に夫々副収納部６１，６０が設けられている。
上記主収納部５８，５９はスライドファスナー６２ａ，６２ｂにより開閉可能に形成され、上記副収納部６１，６０も夫々スライドファスナー６３，６４により開閉可能に形成されている。
【００３４】
なお、図７に示すように、上記間仕切り５７にはスライドファスナー６５により開閉可能なポケット６６が内部に設けられている。
【００３５】
上記主収納部５８はＡ４サイズのラップトップパソコンを収納しうる大きさに形成され、その内部には収納したパソコンを保護しうる衝撃吸収パッド９０が備えられている。したがって、上記主収納部５８に保持されたパソコンは衝撃から保護され、破損が防止される。
なお、上記主収納部５８に収納される物品は、もちろんパソコンに限定されず、種々の物品を対象としている。
【００３６】
上記副収納部６０，６１は夫々上記主収納部５８，５９を開くことなく単独で開口することができる。上記副収納部６０，６１の内部には、夫々、図８及び図９に示すような内装部材６７，６８が装備されている。
図８に示すように、一方の上記内装部材６７には、上段に開口する幅広で大型の深いポケット６９が設けられると共に、中段に開口する6つのポケット７０，７１ａ，７１ｂ，７１ｃ，７２，７３が設けられ、さらに下段に開口する浅いポケット７４，７５，７６が設けられている。上記内装部材６７は間仕切り８９に固定されている。
なお、上段の上記ポケット６９と、中段の端部に設けられたポケット７０には夫々面ファスナー７７ａ，７７ｂ，７８で閉蓋状態を固定しうる蓋片７９，８０が付設されている。
また、図９に示すように、他方の内装部材６８には、３箇所にポケット８１，８２，８３が設けられ、各ポケット８１，８２，８３には夫々面ファスナー８４ａ，８４ｂ，８５ａ，８５ｂ，８５ｃで閉蓋状態を固定しうる蓋片８６，８７，８８が付設されている。
なお、上記バッグ本体４２の内部には、図示はしないが、ワンタッチで簡単に脱着できるキーホルダーが備えられている。
【００３７】
以下に、上記実施例２のビジネスバッグ４１の作用について説明する。
上記ビジネスバッグ４１を持ち運ぶ場合、通常は、上記持ち手４９，５０を手で把持して提げて携帯する場合もあるが、上記持ち手４９，５０を使用しないで、上記ショルダーベルト５３を使用して、肩に掛けて持ち運ぶ場合も多い。
その場合、上述のように、一般には、歩行時又は走る場合の振動により上記バッグ本体は前後及び左右方向に揺れるため、肩から上記ショルダーベルトが外れやすい、という不具合がある。また、上記バッグ本体の揺れのため、歩行しにくい、という不具合もある。
上記不具合を解消するために、本実施の形態に係る上記ビジネスバッグ４１では、上記バッグ本体４２の上記マチ部４６に上記ベルト状部材５４が設けられている。
【００３８】
すなわち、例えば、右肩に掛けて上記ビジネスバッグ４１を持ち運ぶ場合に、上記ベルト状部材５４が設けられた端部を前方側になるようにし、上記ベルト状部材５４を右手で把持することにより、バッグ本体４２を身体に密着させた状態で固定することができる。
これにより、上記バッグ本体４２は歩行時又は走った場合の振動に拘らず、揺れが防止される。したがって、上記ビジネスバッグ４１を肩に掛けて持ち運ぶ場合に、上記ショルダーベルト５３が肩から外れにくくなる。また、上記バッグ本体４２が揺れないので、歩行しやすくなり、長時間の歩行を行った場合であっても疲労感を覚えることが少ない。
【００３９】
また、上記ベルト状部材５４は、上記マチ部４６の下端部という手で把持しやすい位置に配置されていることから、無理なく手で把持することができる。
また、上記ベルト状部材５４は、上記バッグ本体４２のマチの幅方向全域に亘って設けられていることから、手で把持する場合に幅が狭小であることはなく、余裕を持って手で把持することができる。その結果、使い勝手が良好である。
【産業上の利用可能性】
【００４０】
本考案は、肩に掛けて持ち運ぶことのあるバッグに適用可能である。
【図面の簡単な説明】
【００４１】
【図１】本考案の実施例１に係るトートバッグの斜視図である。
【図２】本考案の実施例１に係るトートバッグの正面図である。
【図３】本考案の実施例１に係るトートバッグの平面図である。
【図４】本考案の実施例１に係るトートバッグに備えられる内装部材の側面図である。
【図５】本考案の実施例２に係るビジネスバッグの斜視図である。
【図６】本考案の実施例２に係るビジネスバッグの側面図である。
【図７】本考案の実施例２に係るビジネスバッグの収納部を開いた状態の斜視図である。
【図８】本考案の実施例２に係るビジネスバッグに備えられる内装部材の側面図である。
【図９】本考案の実施例２に係るビジネスバッグに備えられる内装部材の側面図である。
【符号の説明】
【００４２】
１１ａ，１１ｂ  バッグ
１２  トートバッグ
１３  バッグ本体
１４  前胴部
１５  後胴部
１６  マチ部
１７  マチ部
１８  底部
１９  持ち手
２０  持ち手
２１ａ，２１ｂ  ステッチ
２２  ショルダーベルト
２３  ショルダーベルト
２４  ベルト状部材
２５  ポケット
２６  ステッチ
２７ａ，２７ｂ，２７ｃ  鋲
２８  隠しポケット
２９  主収納部
３０  副収納部
３１  蓋部
３２  スライドファスナー
３３  スライドファスナー
３４  ポケット
３５  ポケット
３６  ポケット
３７  ポケット
３８  ポケット
３９  ポケット
４０  内装部材
４１  ビジネスバッグ
４２  バッグ本体
４３  前胴部
４４  後胴部
４５  マチ部
４６  マチ部
４７  上面部
４８  底部
４９  持ち手
５０  持ち手
５１  連結リング
５２  連結リング
５３  ショルダーベルト
５４  ベルト状部材
５５  ダブルステッチ
５６ａ，５６ｂ，５６ｃ，５６ｄ  鋲
５７  間仕切り
５８  主収納部
５９  主収納部
６０  副収納部
６１  副収納部
６２ａ，６２ｂ  スライドファスナー
６３  スライドファスナー
６４  スライドファスナー
６５  スライドファスナー
６６  ポケット
６７  内装部材
６８  内装部材
６９  ポケット
７０  ポケット
７１ａ，７１ｂ，７１ｃ  ポケット
７２  ポケット
７３  ポケット
７４  ポケット
７５  ポケット
７６  ポケット
７７ａ，７７ｂ  面ファスナー
７８  面ファスナー
７９  蓋片
８０  蓋片
８１  ポケット
８２  ポケット
８３  ポケット
８４ａ，８４ｂ  面ファスナー
８５ａ，８５ｂ，８５ｃ  面ファスナー
８６  蓋片
８７  蓋片
８８  蓋片
８９  パネル
９０  衝撃吸収パッド